(57)【要約】【課題】言語明瞭化の処理負荷をより低減させることを可能にする。【解決手段】所定時間毎に音声信号を分割し、分割された前記音声信号毎に基音を抽出する基音抽出部と、フォルマントの特徴に基づいて生成されたフィルタを予め記憶し、前記基音および前記分割された音声信号の音程により前記フィルタの適用周波数を決定し、前記分割された音声信号に対して前記フィルタを適用するフィルタ適用部と、前記フィルタ適用部によって処理された音声信号の所定の周波数帯域を強調するマキシマイズ処理部と、を備えた、言語明瞭化装置が提供される。【選択図】図３
2018136472.tif 000002
【特許請求の範囲】
【請求項１】
所定時間毎に音声信号を分割し、分割された音声信号毎に基音を抽出する基音抽出部と、
フォルマントの特徴に基づいて生成されたフィルタを予め記憶し、前記基音および前記分割された音声信号の音程により前記フィルタの適用周波数を決定し、前記分割された音声信号に対して前記フィルタを適用するフィルタ処理部と、
前記フィルタ処理部によって処理された音声信号における所定の周波数帯域を強調するマキシマイズ処理部と、を備えた、
言語明瞭化装置。
【請求項２】
前記フィルタ処理部は、前記基音の周波数以上の周波数を、前記適用周波数として決定する、
請求項１に記載の言語明瞭化装置。
【請求項３】
前記フィルタはくし型フィルタである、
請求項１または２のいずれか１項に記載の言語明瞭化装置。
【請求項４】
拡声放送について子局装置を制御する親局装置と、前記拡声放送を行う前記子局装置と、前記拡声放送の音声を明瞭化する言語明瞭化装置と、を備える拡声放送システムであって、
前記言語明瞭化装置は、
所定時間毎に音声信号を分割し、分割された音声信号毎に基音を抽出する基音抽出部と、
フォルマントの特徴に基づいて生成されたフィルタを予め記憶し、前記基音および前記分割された音声信号の音程により前記フィルタの適用周波数を決定し、前記分割された音声信号に対して前記フィルタを適用するフィルタ処理部と、
前記フィルタ処理部によって処理された音声信号における所定の周波数帯域を強調するマキシマイズ処理部と、を備え、
前記親局装置は、
前記子局装置に対して前記音声信号を含む信号を送信する送信部を備え、
前記子局装置は、
前記信号を受信する受信部と、
前記信号に基づいて前記拡声放送を制御する鳴動制御部と、を備える、
拡声放送システム。
【発明の詳細な説明】
【技術分野】
【０００１】
本発明は、言語明瞭化装置及び拡声放送システムに関する。
【背景技術】
【０００２】
防災行政無線システム等の各種拡声放送システムにおいては、大別すると、拡声器を用いて拡声放送を行う子局と、放送内容に関する情報を子局に伝送する親局とが存在する。ここで、例えば、子局が屋外に設置されている場合等においては、劣悪な外部環境（騒音（交通騒音、生活騒音等）によってユーザが拡声放送を聞き取りづらい場合がある。
【０００３】
このような事象に対応するために、拡声放送を明瞭化する技術については様々な研究が行われている。例えば、以下の特許文献１には、防災行政無線システム等にて、フォルマントを強調することで明瞭化を実現する技術が開示されている。また、特許文献２には、音声を音素毎に分けて、音声を強調する必要性を判断して予め記憶されたデータを用いて音声を修正する技術が開示されている。また、特許文献３には、音韻毎に設定されたフォルマントのフィルタバンクを用いて、フォルマントを強調する技術が開示されている。さらに、特許文献４には、予め用意された、フォルマントを強調するためのフィルタのデータベースを用いてフォルマントを強調する技術が開示されている。
【先行技術文献】
【特許文献】
【０００４】
【特許文献１】特開２０１５−１６１９１１号公報
【特許文献２】特開２００８−７０５６４号公報
【特許文献３】特開２００４−４９５２号公報
【特許文献４】特開２００３−２７１２００号公報
【発明の概要】
【発明が解決しようとする課題】
【０００５】
しかし、既存技術によっては言語明瞭化の処理負荷が高くなりやすいという問題があった。例えば、特許文献１の技術においては、スペクトルの包絡線に基づくスペクトル・シェーピング処理でフォルマントを抽出、雑音中の音声の知覚にさして影響を与えない調波を間引く処理で周囲雑音の録音を行って、間引かれた調波のエネルギーを他の重要な成分に再配分する処理が行われるが、処理負荷が高い。そのため、高性能な装置が求められたり、処理遅延が発生したりする可能性があった。
【０００６】
そこで、本発明は、上記問題に鑑みてなされたものであり、本発明の目的とするところは、言語明瞭化の処理負荷をより低減させることが可能な、新規かつ改良された言語明瞭化装置及び拡声放送システムを提供することにある。
【課題を解決するための手段】
【０００７】
上記課題を解決するために、本発明のある観点によれば、所定時間毎に音声信号を分割し、分割された音声信号毎に基音を抽出する基音抽出部と、フォルマントの特徴に基づいて生成されたフィルタを予め記憶し、前記基音および前記分割された音声信号の音程により前記フィルタの適用周波数を決定し、前記分割された音声信号に対して前記フィルタを適用するフィルタ処理部と、前記フィルタ処理部によって処理された音声信号における所定の周波数帯域を強調するマキシマイズ処理部と、を備えた、言語明瞭化装置が提供される。
【０００８】
前記フィルタ処理部は、前記基音の周波数以上の周波数を、前記適用周波数として決定してもよい。
【０００９】
前記フィルタはくし型フィルタであってもよい。
【００１０】
また、上記課題を解決するために、本発明の別の観点によれば、拡声放送について子局装置を制御する親局装置と、前記拡声放送を行う前記子局装置と、前記拡声放送の音声を明瞭化する言語明瞭化装置と、を備える拡声放送システムであって、前記言語明瞭化装置は、所定時間毎に音声信号を分割し、分割された音声信号毎に基音を抽出する基音抽出部と、フォルマントの特徴に基づいて生成されたフィルタを予め記憶し、前記基音および前記分割された音声信号の音程により前記フィルタの適用周波数を決定し、前記分割された音声信号に対して前記フィルタを適用するフィルタ処理部と、前記フィルタ処理部によって処理された音声信号における所定の周波数帯域を強調するマキシマイズ処理部と、を備え、前記親局装置は、前記子局装置に対して前記音声信号を含む信号を送信する送信部を備え、前記子局装置は、前記信号を受信する受信部と、前記信号に基づいて前記拡声放送を制御する鳴動制御部と、を備える、拡声放送システムが提供される。
【発明の効果】
【００１１】
以上説明したように本発明によれば、言語明瞭化の処理負荷をより低減させることを可能にする。
【図面の簡単な説明】
【００１２】
【図１】本実施形態に係る拡声放送システムの構成を示す図である。
【図２】本実施形態に係る言語明瞭化装置の機能構成を示すブロック図である。
【図３】本実施形態に係る言語明瞭化装置の処理部の機能構成を示すブロック図である。
【図４】フィルタが適用される周波数の推移の一例を示す図である。
【図５】本実施形態に係る親局の機能構成を示すブロック図である。
【図６】本実施形態に係る子局の機能構成を示すブロック図である。
【図７】本実施形態に係る言語明瞭化装置による言語明瞭化処理の動作を示すシーケンス図である。
【図８】本実施形態に係る言語明瞭化装置のハードウェア構成を示すブロック図である。
【発明を実施するための形態】
【００１３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１４】
＜１．背景＞
上記のとおり、拡声放送を明瞭化する技術については様々な研究が行われている。例えば、特許文献１には、防災行政無線システム等にて、フォルマントを強調することで明瞭化を実現する技術が開示されている。特許文献１には、主に２つの技術によって音声明瞭化が実現されている。１つは、スペクトルの包絡線に基づくスペクトル・シェーピングによる雑音特性への音声の適応技術である。もう１つは雑音中の音声の知覚にさして影響を与えない調波を間引き、間引かれた調波のエネルギーを他の重要な成分に再配分する技術である。
【００１５】
しかし、スペクトル包絡線の抽出処理によってフォルマントを導き出したり、雑音中の音声の知覚にさして影響を与えない調波を間引き、間引かれた調波のエネルギーを残された調波に再分配したりする処理に要する負荷は大きい。また、本技術においては、音声を雑音特性に適応させるにあたり、放送が行われる周辺で集音された雑音が明瞭化の処理に用いられている。しかし、拡声放送システムの放送エリアが広域であり、放送される地点毎の雑音特性が互いに異なる場合には、一か所だけで集音された雑音が明瞭化の処理に用いられると、音声が各地点の雑音特性に十分適応することができない。また、仮に、放送される地点毎の雑音が用いられて明瞭化の処理が行われる場合には、処理に要する負荷がさらに大きくなる。
【００１６】
本件の発明者は上記事情に鑑み、本発明に想到するに至った。本発明の一実施形態に係る言語明瞭化装置は、フォルマントの特徴に基づいて生成されたフィルタ特性をテンプレート化して予め記憶しておく。そして、言語明瞭化装置は、放送される音声信号を所定時間毎に分割し、分割された音声信号の基音を抽出（基音の定義については後述する）し、当該基音に基づいてフィルタの適用周波数を決定する。これによって、言語明瞭化装置は、明瞭化の処理負荷をより低減させることができる。
【００１７】
以降では、主に、「２．本実施形態に係る拡声放送システムの概要」「３．各装置の機能構成」「４．言語明瞭化装置の動作」「５．言語明瞭化装置のハードウェア構成」という順番で本実施形態について詳細に説明していく。
【００１８】
＜２．本実施形態に係る拡声放送システムの概要＞
上記では、本発明の背景について説明した。続いて、本発明の一実施形態に係る拡声放送システムの概要について説明する。
【００１９】
（２−１．拡声放送システムの構成）
まず、図１を参照して、本実施形態に係る拡声放送システムの構成について説明する。図１は、本実施形態に係る拡声放送システムの構成を示す図である。図１に示すように、本実施形態に係る拡声放送システムは、言語明瞭化装置１００と、操作卓２００と、親局３００と、子局４００と、を備える。親局３００は、無線通信に用いるアンテナ３１０を備え、子局４００は、無線通信に用いるアンテナ４１０と、拡声放送に用いる拡声器４２０と、を備える。以降で各機能について説明する。
【００２０】
（言語明瞭化装置１００）
言語明瞭化装置１００は、拡声放送に用いられる音声信号に対して各種処理を行うことで、放送される音声の明瞭化を実現する。より具体的に説明すると、言語明瞭化装置１００は、拡声放送の実施者がマイク等（図示なし）を用いて入力した音声信号に対して、基音抽出処理、フィルタ処理またはマキシマイズ処理等を行い、処理後の音声信号を後述する操作卓２００へ提供する。言語明瞭化装置１００による処理の詳細については後述する。
【００２１】
（操作卓２００）
操作卓２００は、拡声放送における各種設定が行われる装置である。より具体的に説明すると、操作卓２００は、拡声放送の実施者によって、放送の対象となる各子局４００、放送の際の設定等が入力される。操作卓２００は、各種設定に関する情報および言語明瞭化装置１００から提供された音声信号を後述する親局３００に提供する。
【００２２】
（親局３００）
親局３００は、拡声放送に用いられる情報を無線信号として送信する。より具体的に説明すると、親局３００は、操作卓２００から入力された情報に基づいて無線信号を生成し、アンテナ３１０を用いて、当該無線信号を中継局（図示なし）または各子局４００へ送信する。親局３００が送信する無線信号は複数種類あるとする。例えば、親局３００は、拡声放送を指示する信号、放送内容が含まれる信号、拡声放送の終了を指示する信号等を子局４００に送信してもよい。なお、これらの信号はあくまで一例であり、拡声放送の種類もしくは方式によって送信される信号は適宜変更される。
【００２３】
（子局４００）
子局４００は、拡声放送を行う装置である。より具体的に説明すると、子局４００は、アンテナ４１０を用いて親局３００または中継局から無線信号を受信し、当該信号に含まれる情報を用いて拡声放送を行う。例えば、子局４００は、無線信号に含まれる情報に基づいて自局が放送の対象であるか否かを判定し、自局が放送の対象である場合、信号に含まれる動作設定を反映させた状態で、拡声器４２０を用いて拡声放送を行う。本明細書では、子局４００が道路または公園等に設置される固定局である場合を一例として説明するが、子局４００の種類は任意である。
【００２４】
（２−２．拡声放送システムの機能概要）
上記では、本実施形態に係る拡声放送システムの構成について説明した。続いて、本実施形態に係る拡声放送システムの機能概要について説明する。
【００２５】
本実施形態に係る拡声放送システムの言語明瞭化装置１００は、まず、フォルマントの特徴に基づいて生成されたフィルタ特性をテンプレート化して記憶しておく。以下、本明細書では記憶されたフィルタ特性のテンプレートのことをフィルタとして記載する。当該フィルタの種類は任意である。本明細書では、当該フィルタがくし型フィルタである場合を想定して記載する。そして、言語明瞭化装置１００は、拡声放送の実施者によって音声信号が入力された場合、当該音声信号を所定の時間毎に分割し、分割された音声信号を解析することで基音を抽出する。ここで、基音とは、音声信号が複数の正弦波の合成によって表される場合において、最も低い周波数の音を指す。なお、音声信号が分割される間隔である所定の時間とは任意の時間を指すが、本明細書では、例えば、音声信号が分割される間隔が数十[ｍｓ]であることを想定している。
【００２６】
そして、言語明瞭化装置１００は、基音の周波数以上の周波数に対して、予め記憶しておいたフィルタを適用する。これによって、言語明瞭化装置１００は、当該分割された音声信号について、言語として強調すべき重要な周波数帯域の成分を残した上で、ノイズ等の重要性の低い周波数帯域の成分を除去することができる。
【００２７】
また、基本的に、基音は音程によって変化するため、言語明瞭化装置１００は、分割された音声信号毎に、それぞれの音程に応じてフィルタを適用する周波数を決定する（実質的には、基音に応じてフィルタを適用する周波数を決定することと同義）。これによって、言語明瞭化装置１００は、音程が刻々と変化するような音声信号に対しても適切に対応することができる。
【００２８】
その後、言語明瞭化装置１００は、フィルタを適用した後の音声信号における所定の帯域成分を増幅する処理を行う。フィルタの適用によって重要性の低い周波数帯域の成分が除去されることで音声信号の振幅が減少する（換言すると、音響エネルギーが減少する）ため、言語明瞭化装置１００、その減少分だけ音声信号の増幅を行うことができる。
【００２９】
上記の処理が行われた音声信号を用いて子局４００が拡声放送を行うことによって、本実施形態に係る拡声放送システムは、劣悪な外部環境（騒音（交通騒音、生活騒音等）、降雨、暴風雨、暴風雪、台風、落雷等）においてもユーザが聞き取りやすい拡声放送を実現することができる。また、音程に基づいてフィルタを適用する処理（実質的には、基音に基づいてフィルタを適用する処理と同義）は、特許文献１による処理（スペクトル包絡線の抽出処理等）よりも負荷が低いため、本実施形態に係る拡声放送システムは、言語明瞭化に要する処理の負荷をより低減させることができる。
【００３０】
また、雑音のスペクトルは一定ではないが、言語明瞭化装置１００が分割された音声信号毎にフィルタの適用周波数を適度に変更することによって、雑音のスペクトル成分にマスクされにくくなり、雑音下での言語明瞭化が可能となる。
【００３１】
また、言語明瞭化装置１００は、拡声放送に用いられる信号の送信元（操作卓２００または親局３００等）側に備えられればよく、子局４００側に備えられなくてもよい。これによって、言語明瞭化装置１００の設置、調整、保守または運用等に要するリソースが削減される。
【００３２】
＜３．各装置の機能構成＞
上記では、本実施形態に係る拡声放送システムの機能概要について説明した。続いて、各装置の機能構成について説明する。
【００３３】
（言語明瞭化装置１００の機能構成）
まず、図２および図３を参照して、本実施形態に係る言語明瞭化装置１００の機能構成について説明する。図２は、本実施形態に係る言語明瞭化装置１００の機能構成を示すブロック図である。図２に示すように、本実施形態に係る言語明瞭化装置１００は、切替部１１０と、処理部１２０と、を備える。また、図３は、本実施形態に係る言語明瞭化装置１００の処理部１２０の機能構成を示すブロック図である。図３に示すように、本実施形態に係る処理部１２０は、前処理部１２１と、基音抽出部１２２と、フィルタ処理部１２３と、マキシマイズ処理部１２４と、を備える。以降で各機能構成について説明する。
【００３４】
（切替部１１０）
切替部１１０は、音声信号に対して言語明瞭化装置１００による処理（以降、便宜的に「言語明瞭化処理」と呼称する）を行うか否かの切り替えを行う。より具体的に説明すると、切替部１１０は、音声信号および切替制御信号を外部装置から受信した場合、切替制御信号を解析して言語明瞭化処理が要求されていると判断した場合には、受信した音声信号を処理部１２０に順次提供し、言語明瞭化処理が要求されていないと判断した場合には言語明瞭化装置１００を介すことなく音声信号を操作卓２００へ順次提供する。なお、切替部１１０が切替制御信号を外部装置から受信するのではなく、拡声放送の実施者が言語明瞭化装置１００に備えられる入力部（図示なし。ボタン、スイッチ、タッチパネル等）を操作することによって、切替部１１０が切替制御信号を自ら生成してもよい。
【００３５】
（処理部１２０）
処理部１２０は、音声信号に対して言語明瞭化処理を行う。上記のとおり、処理部１２０は、前処理部１２１と、基音抽出部１２２と、フィルタ処理部１２３と、マキシマイズ処理部１２４と、を備える。以降で処理部１２０の各機能構成について説明する。
【００３６】
（前処理部１２１）
前処理部１２１は、音声信号に対して各種処理を行うことで、後工程における処理の円滑化を実現する。各種処理には、任意の信号処理が含まれる。例えば、前処理部１２１は、音声信号に対して増幅処理、平滑化処理または整形処理等を行う。前処理部１２１は、各種処理を行った音声信号を後述する基音抽出部１２２およびフィルタ処理部１２３に提供する。なお、前処理部１２１は、基音抽出部１２２またはフィルタ処理部１２３からのフィードバックを受けて各種処理を実施し直したり、各種処理に用いられるパラメータを変更したりしてもよい。
【００３７】
（基音抽出部１２２）
基音抽出部１２２は、音声信号の基音を抽出する。より具体的に説明すると、基音抽出部１２２は、前処理部１２１によって各種処理が施された音声信号を分割し、当該信号を解析することによって、分割された音声信号毎に基音を抽出する。そして、基音抽出部１２２は、分割された音声信号毎の基音に関する情報を制御信号として後述するフィルタ処理部１２３に提供する。
【００３８】
（フィルタ処理部１２３）
フィルタ処理部１２３は、音声信号にフィルタを適用する処理（以降、便宜的に「フィルタ処理」と呼称する）を行う。より具体的に説明すると、フィルタ処理部１２３は、フォルマントの特徴に基づいて生成されたフィルタを予め記憶しておき、前処理部１２１から音声信号を提供された場合、基音抽出部１２２から提供される制御信号に基づいて、基音の周波数以上の周波数に対してフィルタを適用する。
【００３９】
ここで、図４を参照して、フィルタ処理について説明する。図４は、フィルタが適用される周波数の推移の一例を示す図である。まず、基音抽出部１２２が時点１（例えば、音声信号の入力が開始された時点）における音声信号を解析し、基音を抽出する。そして、フィルタ処理部１２３は、図４Ａに示すように、基音の周波数Ｆ０以上の周波数に対してフィルタを適用する。そして、基音抽出部１２２は、時点１の直後に分割した時点２における音声信号を解析する。時点１における音声信号の音程と時点２における音声信号の音程は互いに異なるため、時点１における基音と時点２における基音は互いに異なる。基音抽出部１２２は、時点２における音声信号の基音を抽出し、図４Ｂに示すように、フィルタ処理部１２３は基音の周波数Ｆ０＋α以上の周波数に対してフィルタを適用する。その後、基音抽出部１２２およびフィルタ処理部１２３は、時点３における音声信号に対して同様の処理を行うことで、図４Ｃに示すように、基音の周波数Ｆ０−β以上の周波数に対してフィルタを適用する。
【００４０】
このように、フィルタ処理部１２３は、基音に応じてフィルタが適用される周波数を刻々と変更していくことで、音程が刻々と変化するような音声信号に対しても適切に対応することができる。フィルタ処理部１２３は、フィルタ処理を行った音声信号をマキシマイズ処理部１２４に提供する。
【００４１】
（マキシマイズ処理部１２４）
マキシマイズ処理部１２４は、音声信号に対して増幅処理（以降、便宜的に「マキシマイズ処理」と呼称する）を行う。より具体的に説明すると、前段のフィルタ処理によって音声信号の振幅が減少するため、マキシマイズ処理部１２４は、その減少分だけ、音声の認識に重要な周波数帯域の成分を増幅するマキシマイズ処理を行う。
【００４２】
（親局３００の機能構成）
上記では、言語明瞭化装置１００の機能構成について説明した。続いて、図５を参照して、親局３００の機能構成について説明する。図５は、本実施形態に係る親局３００の機能構成を示すブロック図である。
【００４３】
図５に示すように、親局３００は、有線通信部３２０と、生成部３３０と、無線通信部３４０と、制御部３５０と、を備える。また、無線通信部３４０はアンテナ３１０を備える。以降で各機能構成について説明する。
【００４４】
（有線通信部３２０）
有線通信部３２０は、拡声放送に用いられる情報を操作卓２００から受信する有線ネットワークへのインタフェースである。より具体的に説明すると、拡声放送の実施者が、操作卓２００を用いて、放送の対象となる各子局４００、放送の際の設定等を入力すると、有線通信部３２０は、これらの情報を操作卓２００から受信し、後述する生成部３３０に提供する。
【００４５】
（生成部３３０）
生成部３３０は、有線通信部３２０によって受信された情報に基づいて各種信号を生成する。より具体的に説明すると、生成部３３０は、拡声放送を指示する信号、放送内容が含まれる信号、拡声放送の終了を指示する信号等を生成し、これらの信号を後述する無線通信部３４０に提供する。
【００４６】
（無線通信部３４０）
無線通信部３４０は、子局４００へ無線信号を送信する送信部として機能する。具体的には、無線通信部３４０は、生成部３３０から提供される各種信号をアンテナ３１０により無線信号に変換して送信する。
【００４７】
（制御部３５０）
制御部３５０は、親局３００における各種処理を統括的に制御する。例えば、制御部３５０は、操作卓２００から拡声放送に用いられる各種情報が提供された場合に、各機能構成を制御することで、拡声放送に用いられる情報を含む信号を子局４００へ送信させる。
【００４８】
（子局４００の機能構成）
上記では、親局３００の機能構成について説明した。続いて、図６を参照して、子局４００の機能構成について説明する。図６は、本実施形態に係る子局４００の機能構成を示すブロック図である。
【００４９】
図６に示すように、子局４００は、無線通信部４３０と、制御部４４０と、鳴動制御部４５０と、を備える。また、無線通信部４３０はアンテナ４１０を備え、鳴動制御部４５０は拡声器４２０を備える。以降で各機能構成について説明する。
【００５０】
（無線通信部４３０）
無線通信部４３０は、親局３００からの無線信号を受信する受信部として機能する。より具体的に説明すると、無線通信部４３０は、親局３００から送信された無線信号をアンテナ４１０によって受信し、当該信号に対して復調処理または復号処理を行うことで拡声放送に用いられる情報を取得する。無線通信部４３０は、当該情報を後述する制御部４４０に提供する。
【００５１】
（制御部４４０）
制御部４４０は、子局４００における各種処理を統括的に制御する。例えば、制御部４４０は、無線通信部４３０から提供される情報を鳴動制御部４５０に提供することによって拡声放送を実現する。なお、制御部４４０は、無線通信部４３０から提供される情報に対して各種処理を行ったり、当該情報に基づいて鳴動制御部４５０を制御するための信号を生成することで鳴動制御部４５０を制御したりしてもよい。
【００５２】
（鳴動制御部４５０）
鳴動制御部４５０は、拡声放送に関する制御を行う。より具体的に説明すると、鳴動制御部４５０は、制御部４４０から提供される情報に基づいて拡声器４２０を制御することによって拡声放送を実現する。
【００５３】
＜４．言語明瞭化装置の動作＞
上記では、各装置の機能構成について説明した。続いて、図７を参照して、言語明瞭化処理の動作について説明する。図７は、本実施形態に係る言語明瞭化装置１００による言語明瞭化処理の動作を示すシーケンス図である。
【００５４】
ステップＳ１０００では、前処理部１２１が順次入力される音声信号に対して各種処理（増幅処理、平滑化処理または整形処理等）を行う。ステップＳ１００４では、前処理部１２１が、各種処理を施した音声信号を基音抽出部１２２に順次提供し、ステップＳ１００８では、前処理部１２１が、当該音声信号をフィルタ処理部１２３に順次提供する。ステップＳ１０１２では、基音抽出部１２２が所定の時間毎に音声信号を分割し、ステップＳ１０１６では、基音抽出部１２２が分割後の音声信号毎に基音を抽出する。ステップＳ１０２０では、基音抽出部１２２が、分割された音声信号毎の基音に関する情報を含む制御信号を生成し、当該信号をフィルタ処理部１２３に提供する。
【００５５】
ステップＳ１０２４では、フィルタ処理部１２３が、当該制御信号に基づいて基音の周波数以上の周波数に対してフィルタを適用することで分割された音声信号に対してフィルタ処理を行う。ステップＳ１０２８では、フィルタ処理部１２３が、フィルタ処理を行った後の音声信号をマキシマイズ処理部１２４に提供する。ステップＳ１０３２では、マキシマイズ処理部１２４が音声信号に対して所定の帯域成分を増幅するマキシマイズ処理を行う。その後、マキシマイズ処理部１２４は、マキシマイズ処理を行った後の音声信号を操作卓２００に提供する。
【００５６】
以上が、言語明瞭化装置１００による言語明瞭化処理の動作である。なお、図７に示した動作は、音声信号が入力される限り継続して行われる。また、図７に示した動作は、並行的に行われてもよい。例えば、前処理部１２１による前処理（ステップＳ１０００）、基音抽出部１２２による音声信号の分割（ステップＳ１０１２）もしくは基音の抽出処理（ステップＳ１０１６）、フィルタ処理部１２３によるフィルタ処理（ステップＳ１０２４）、またはマキシマイズ処理部１２４によるマキシマイズ処理（ステップＳ１０３２）は並行的に行われてもよい。これによって、言語明瞭化装置１００に入力された音声信号が順次円滑に処理され得るため、音声が遅れたり途切れたりすることなく拡声放送が実施され得る。なお、上記で説明した動作はあくまで一例であるため、適宜され得る。
【００５７】
＜５．言語明瞭化装置のハードウェア構成＞
以上、言語明瞭化処理の動作について説明について説明した。続いて、図８を参照して、本実施形態に係る言語明瞭化装置１００のハードウェア構成について説明する。
【００５８】
図８は、本実施形態に係る言語明瞭化装置１００のハードウェア構成を示すブロック図であり、言語明瞭化装置１００は、図８に示す情報処理装置９００によって具現される。情報処理装置９００は、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０２と、ＲＡＭ（Ｒａｎｄｏｍ  Ａｃｃｅｓｓ  Ｍｅｍｏｒｙ）９０３と、ホストバス９０４と、ブリッジ９０５と、外部バス９０６と、インタフェース９０７と、入力装置９０８と、出力装置９０９と、ストレージ装置９１０と、通信装置９１１と、を備える。
【００５９】
ＣＰＵ９０１は、演算処理装置および制御装置として機能し、各種プログラムに従って情報処理装置９００内の動作全般を制御する。また、ＣＰＵ９０１は、マイクロプロセッサであってもよい。ＲＯＭ９０２は、ＣＰＵ９０１が使用するプログラムや演算パラメータ等を記憶する。ＲＡＭ９０３は、ＣＰＵ９０１の実行において使用するプログラムや、その実行において適宜変化するパラメータ等を一時記憶する。これらはＣＰＵバス等から構成されるホストバス９０４により相互に接続されている。言語明瞭化装置１００の切替部１１０、処理部１２０、前処理部１２１、基音抽出部１２２、フィルタ処理部１２３またはマキシマイズ処理部１２４は、ＣＰＵ９０１によって具現され得る。
【００６０】
ホストバス９０４は、ブリッジ９０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス９０６に接続されている。なお、必ずしもホストバス９０４、ブリッジ９０５および外部バス９０６を分離構成する必要はなく、１つのバスにこれらの機能を実装してもよい。
【００６１】
入力装置９０８は、マウス、キーボード、タッチパネル、ボタン、マイクロフォン、スイッチおよびレバー等ユーザが情報を入力するための入力手段と、ユーザによる入力に基づいて入力信号を生成し、ＣＰＵ９０１に出力する入力制御回路等から構成されている。情報処理装置９００を操作するユーザは、この入力装置９０８を操作することにより、情報処理装置９００に対して各種のデータを入力したり処理動作を指示したりすることができる。
【００６２】
出力装置９０９は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置、ランプ等の表示装置およびスピーカ等の音声出力装置を含む。
【００６３】
ストレージ装置９１０は、データ格納用の装置である。ストレージ装置９１０は、記憶媒体、記憶媒体にデータを記録する記録装置、記憶媒体からデータを読み出す読出し装置および記憶媒体に記録されたデータを削除する削除装置等を含んでもよい。ストレージ装置９１０は、例えば、フラッシュメモリで構成される。このストレージ装置９１０は、フラッシュメモリを駆動し、ＣＰＵ９０１が実行するプログラムや各種データを格納してもよい。
【００６４】
通信装置９１１は、例えば、ネットワークに接続するための通信デバイス等で構成された通信インタフェースである。また、通信装置９１１は、無線ＬＡＮ（Ｌｏｃａｌ  Ａｒｅａ  Ｎｅｔｗｏｒｋ）対応通信装置であっても、有線による通信を行うワイヤー通信装置であってもよい。
【００６５】
＜６．むすび＞
以上の説明のように、本実施形態にかかる言語明瞭化装置１００は、所定時間毎に音声信号を分割し、分割された音声信号毎に基音を抽出し、基音の周波数以上の周波数に対して、予め記憶しておいたフィルタを適用する。これによって、言語明瞭化装置１００は、当該分割された各音声信号について、言語として強調すべき重要な周波数帯域の成分を残した上で、ノイズ等の重要性の低い周波数帯域の成分を除去することができるため、音程が刻々と変化するような音声信号に対しても適切に対応することができる。
【００６６】
なお、雑音のスペクトルは一定ではないが、言語明瞭化装置１００が分割された音声信号毎にフィルタの適用周波数を適度に変更することによって、雑音のスペクトル成分にマスクされにくくなり、雑音下での言語明瞭化が可能となる。
【００６７】
そして、子局４００が言語明瞭化処理後の音声信号を用いて拡声放送を行うことによって、本実施形態に係る拡声放送システムは、劣悪な外部環境（騒音（交通騒音、生活騒音等）、降雨、暴風雨、暴風雪、台風、落雷等）においてもユーザが聞き取りやすい拡声放送を実現することができる。また、音程に基づいてフィルタを適用する処理（実質的には、基音に基づいてフィルタを適用する処理と同義）は、特許文献１による処理よりも負荷が低いため、本実施形態に係る拡声放送システムは、言語明瞭化に要する処理の負荷をより低減させることができる。
【００６８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６９】
例えば、各装置の機能構成は適宜外部装置に備えられてもよい。例えば、言語明瞭化装置１００の切替部１１０、前処理部１２１、基音抽出部１２２、フィルタ処理部１２３、マキシマイズ処理部１２４のそれぞれは、適宜外部装置に備えられてもよい。
【００７０】
また、各装置の位置関係、または連携の態様は適宜変更され得る。例えば、言語明瞭化装置１００は、拡声放送の信号の送信元（操作卓２００または親局３００等）側ではなく、子局４００側に備えられてもよい。これによって、拡声放送の実施者は、言語明瞭化処理のパラメータ、フィルタの種類等を子局４００毎に変更することができるため、各子局４００が設置されている場所における雑音の発生状況に応じた言語明瞭化を実現することができる。また、言語明瞭化装置１００が有する機能は、操作卓２００、親局３００または子局４００のうち、いずれかの装置が有していてもよい。
【００７１】
また、上記における通信方式は適宜変更されてもよい。例えば、親局３００と子局４００は、無線通信ではなく有線通信を行ってもよいし、言語明瞭化装置１００、操作卓２００または親局３００は、有線通信ではなく無線通信を行ってもよい。
【符号の説明】
【００７２】
１００    言語明瞭化装置
１１０    切替部
１２０    処理部
１２１    前処理部
１２２    基音抽出部
１２３    フィルタ処理部
１２４    マキシマイズ処理部
２００    操作卓
３００    親局
３１０    アンテナ
３２０    有線通信部
３３０    生成部
３４０    無線通信部
３５０    制御部
４００    子局
４１０    アンテナ
４２０    拡声器
４３０    無線通信部
４４０    制御部
４５０    鳴動制御部
【図１】
2018136472.tif 000003
【図２】
2018136472.tif 000004
【図３】
2018136472.tif 000005
【図４】
2018136472.tif 000006
【図５】
2018136472.tif 000007
【図６】
2018136472.tif 000008
【図７】
2018136472.tif 000009
【図８】
2018136472.tif 000010